(57)【要約】【課題】連結部分に高い精度が要求されずに、確実に点検スイッチを操作する。紐で操作される点検スイッチをそのままの機構で利用する。【解決手段】非常灯は、停電状態での照明ランプ１の点灯を点検する点検スイッチ１８と、この点検スイッチ１８を操作する紐１９と、この紐１９を引っ張って点検スイッチ１８を切り換える操作部２０とを備える。操作部２０は、インナーケース１３の下方に伸びて固定されてなる摺動ガイド２１と、この摺動ガイド２１に沿って摺動して上下に移動できるように摺動ガイド２１に連結されてなる引張ツマミ２２とを備える。非常灯は、点検スイッチ１８を操作する紐１９を引張ツマミ２２に連結しており、引張ツマミ２２が引っ張られると、引張ツマミ２２が紐１９を引っ張って点検スイッチ１８を切り換えて点検する。【選択図】図９
2005093251.tif 000002
【特許請求の範囲】
【請求項１】
建造物に埋め込み設置されるアウターケース(14)と、このアウターケース(14)に収納しているインナーケース(13)と、このインナーケース(13)に収納されて商用電源で充電される二次電池(2)と、この二次電池(2)を商用電源で充電すると共に、停電を検出して二次電池(2)で照明ランプ(1)を点灯する電源回路(3)と、停電時に二次電池(2)に接続されて点灯される照明ランプ(1)と、電源回路(3)に接続されて、停電状態で照明ランプ(1)が点灯されるかどうかを点検する点検スイッチ(18)と、この点検スイッチ(18)に連結されて点検スイッチ(18)を操作する紐(19)と、この紐(19)を引っ張って点検スイッチ(18)を切り換える操作部(20)とを備え、
点検スイッチ(18)の操作部(20)は、インナーケース(13)の下方に伸びて固定されてなる摺動ガイド(21)と、この摺動ガイド(21)に沿って摺動して上下に移動できるように摺動ガイド(21)に連結されてなる引張ツマミ(22)とを備えており、
点検スイッチ(18)を操作する紐(19)が引張ツマミ(22)に連結され、引張ツマミ(22)が引っ張られると、引張ツマミ(22)が紐(19)を引っ張って点検スイッチ(18)を切り換えて点検するようにしてなる点検スイッチを有する非常灯。
【請求項２】
引張ツマミ(22)を摺動ガイド(21)から外れないように保持するホルダー(23)と、摺動ガイド(21)とホルダー(23)との間にあって、引張ツマミ(22)を押し下げるスライド片(24)と、このスライド片(24)を弾性的に降下させて、点検スイッチ(18)を切り換えないが、引張ツマミ(22)の下端をアウターケース(14)の蓋(15)から外部に突出させるように押圧する押出スプリング(25)とを備えており、
押出スプリング(25)がスライド片(24)を介して、点検スイッチ(18)を切り換えない位置で引張ツマミ(22)を弾性的に降下させて、引張ツマミ(22)の下端を蓋(15)から外部に突出させてなる請求項１に記載される点検スイッチを有する非常灯。
【請求項３】
摺動ガイド(21)がガイド溝(21B)を備えており、引張ツマミ(22)がこのガイド溝(21B)に沿って移動するガイド凸部(22B)を有する請求項１に記載される点検スイッチを有する非常灯。
【請求項４】
スライド片(24)が、摺動ガイド(21)のガイド溝(21B)に沿って摺動するガイド突出部(24A)を有し、さらに、ホルダー(23)は上下に伸びるガイドスリット(23B)を有し、このガイドスリット(23B)を摺動するガイドフック(24B)をスライド片(24)に設けている請求項２に記載される点検スイッチを有する非常灯。
【請求項５】
押出スプリング(25)がコイルスプリングで、このコイルスプリングの端部を、ホルダー(23)とスライド片(24)との対向面に設けている固定ロッド(23D)、(24C)に挿通して、押出スプリング(25)をスライド片(24)とホルダー(23)に連結している請求項２に記載される点検スイッチを有する非常灯。
【発明の詳細な説明】
【技術分野】
【０００１】
本発明は、天井等に下向きに光を照射するように固定される埋め込みタイプの非常灯であって、停電したときに正常に照明ランプを点灯できるかどうかの点検スイッチを備える非常灯に関する。  
【背景技術】
【０００２】
非常灯は、停電すると、内蔵している二次電池でハロゲンランプ等の照明ランプを点灯する。照明ランプを点灯するために二次電池を内蔵している。この二次電池は、停電しないときに、商用電源で充電されて、満充電に近い状態に保持される。停電すると、このことを検出して照明ランプを二次電池に接続して、照明ランプを点灯する。非常灯が故障すると停電しても照明ランプが点灯されなくなる。この弊害を避けるために非常灯は点検スイッチを備える。点検スイッチが操作されると、停電時と同じ状態となり、正常に照明ランプを点灯できるかどうかを検査できる。
【０００３】
現在、実用化されている非常灯は、紐を引っ張って点検スイッチを切り換える構造となっている。この構造の非常灯は、アウターケースの蓋に設けた貫通孔から紐を引き出して、紐の下端にリング状ツマミを連結している。リング状ツマミに指をかけ、紐を引っ張って点検スイッチを操作すると、停電したのと同じ状態となる。正常に動作する非常灯は、この状態で照明ランプを点灯する。故障して正常に動作しない非常灯は、この状態で照明ランプを点灯できない。したがって、点検スイッチの紐を引っ張って、正常に動作するかどうかを点検できる。
【０００４】
この構造の非常灯は、アウターケースの開口部に蓋を固定するときに、蓋に設けた貫通孔にツマミを挿通する必要がある。このため、アウターケースに蓋を固定するのに手間がかかる。また、ツマミを操作するときに、ツマミがアウターケースの内部に引き込まれると、紐を引っ張って点検スイッチを操作できなくなる。ツマミは、引っ張った状態で急に離すと、蓋の内部に引き込まれることがある。紐がツマミを弾性的に引っ張っているから、引っ張った状態でツマミを離すと、紐がツマミを急激に引き上げて、アウターケースの内部に引き込むことがある。この状態になると、蓋を開いてツマミを外部に引き出す必要があるので、この処理に手間がかかる。また、紐をアウターケースの蓋から吊り下げている非常灯は、デザインも好ましくない。このような欠点を解消することを目的として、点検スイッチを紐から操作片とする非常灯が開発されている。（特許文献１参照）
【特許文献１】実開平６−５０１２号公報
【発明の開示】
【発明が解決しようとする課題】
【０００５】
この公報に記載される点検スイッチは、操作片を引っ張ると、リミットスイッチが切り換えられる構造としている。この構造で点検スイッチを操作する機構は、操作片やこれをリミットスイッチに連結する機構の位置がずれると、正確にリミットスイッチを操作できなくなる。このため、操作片やこれを連結するための機構を正確に配置する必要があって、組み立てと製作に手間と精度が要求される欠点がある。また、紐で引っ張って点検スイッチを切り換える機構を変更するために、従来の非常灯の点検スイッチの機構をそのまま利用できない欠点もあった。
【０００６】
本発明は、このような欠点を解決することを目的に開発されたものである。本発明の重要な目的は、点検スイッチとの連結を簡単かつ容易にでき、しかも連結部分に高い精度が要求されずに、確実に点検スイッチを操作でき、しかも従来の紐で操作される点検スイッチをそのままの機構で利用することもできる点検スイッチを有する非常灯を提供することにある。
【課題を解決するための手段】
【０００７】
本発明の点検スイッチを有する非常灯は、建造物に埋め込み設置されるアウターケース１４と、このアウターケース１４に収納しているインナーケース１３と、このインナーケース１３に収納されて商用電源で充電される二次電池２と、この二次電池２を商用電源で充電すると共に、停電を検出して二次電池２で照明ランプ１を点灯する電源回路３と、停電時に二次電池２に接続されて点灯される照明ランプ１と、電源回路３に接続されて、停電状態で照明ランプ１が点灯されるかどうかを点検する点検スイッチ１８と、この点検スイッチ１８に連結されて点検スイッチ１８を操作する紐１９と、この紐１９を引っ張って点検スイッチ１８を切り換える操作部２０とを備える。点検スイッチ１８の操作部２０は、インナーケース１３の下方に伸びて固定されてなる摺動ガイド２１と、この摺動ガイド２１に沿って摺動して上下に移動できるように摺動ガイド２１に連結されてなる引張ツマミ２２とを備える。非常灯は、点検スイッチ１８を操作する紐１９を引張ツマミ２２に連結しており、引張ツマミ２２が引っ張られると、引張ツマミ２２が紐１９を引っ張って点検スイッチ１８を切り換えて点検するようにしている。
【０００８】
本発明の請求項２の非常灯は、引張ツマミ２２を摺動ガイド２１から外れないように保持するホルダー２３と、摺動ガイド２１とホルダー２３との間にあって、引張ツマミ２２を押し下げるスライド片２４と、このスライド片２４を弾性的に降下させて、点検スイッチ１８を切り換えないが、引張ツマミ２２の下端をアウターケース１４の蓋１５から外部に突出させるように押圧する押出スプリング２５とを備えている。この非常灯は、押出スプリング２５がスライド片２４を介して、点検スイッチ１８を切り換えない位置で引張ツマミ２２を弾性的に降下させて、引張ツマミ２２の下端を蓋１５から外部に突出させている。
【０００９】
本発明の請求項３の非常灯は、摺動ガイド２１がガイド溝２１Ｂを備えており、引張ツマミ２２がこのガイド溝２１Ｂに沿って移動するガイド凸部２２Ｂを有する。
【００１０】
本発明の請求項４の非常灯は、スライド片２４が、摺動ガイド２１のガイド溝２１Ｂに沿って摺動するガイド突出部２４Ａを有し、さらに、ホルダー２３が、上下に伸びるガイドスリット２３Ｂを有し、このガイドスリット２３Ｂを摺動するガイドフック２４Ｂをスライド片２４に設けている。
【００１１】
本発明の請求項５の非常灯は、押出スプリング２５がコイルスプリングで、このコイルスプリングの端部を、ホルダー２３とスライド片２４との対向面に設けている固定ロッド２３Ｄ、２３Ｃに挿通して、押出スプリング２５をスライド片２４とホルダー２３に連結している。
【発明の効果】
【００１２】
本発明の非常灯は、点検スイッチと操作部を簡単かつ容易に連結でき、しかも操作部と点検スイッチとの連結部分に高い精度が要求されず、点検スイッチを確実に操作できる特長がある。それは、本発明の非常灯が、点検スイッチを操作する紐を引張ツマミに連結しており、操作部の引張ツマミを引っ張ると、引張ツマミが紐を引っ張って点検スイッチを切り換えるようにしているからである。この構造は、点検スイッチと操作部とを紐で簡単に連結できるので、連結部分に高い精度が要求されず、しかも操作部の引張ツマミで紐を引っ張って確実に点検スイッチを操作して点検できる。
また、点検スイッチの操作部は、インナーケースの下方に伸びる摺動ガイドと、これに連結して摺動する引張ツマミとを有しているので、設置するスペースに制限がある天井等に埋め込むタイプの非常灯においては、省スペースに点検スイッチの操作部を設けることができる。
【００１３】
とくに、本発明の請求項２の非常灯は、操作部の引張ツマミと点検スイッチを紐を介して連結しながら、引張ツマミの先端を確実にアウターケースの蓋から外部に突出できる。それは、スライド片と押出スプリングが引張ツマミを弾性的に押し下げて、引張ツマミの先端をアウターケースの蓋から押し出しているからである。このため、点検スイッチと操作部とを紐で簡単に連結しながら、引張ツマミが蓋の内部に引き込まれることがなく、常に引張ツマミを引っ張って点検スイッチを切り換えて点検できる。
【００１４】
さらに、本発明の非常灯は、アウターケースの蓋から突出している引張ツマミを引っ張って、点検スイッチで点検するものであるが、従来の紐で操作される点検スイッチをそのままの機構で利用することもできる。このため、従来の紐で操作する点検スイッチを使用できるにもかかわらず、ツマミを紐で蓋からぶら下げることなく、引張ツマミで点検スイッチを操作できるすっきりとしたデザインにできる特長がある。
【発明を実施するための最良の形態】
【００１５】
以下、本発明の実施例を図面に基づいて説明する。ただし、以下に示す実施例は、本発明の技術思想を具体化するための非常灯を例示するものであって、本発明は非常灯を以下のものに特定しない。
【００１６】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１７】
図１ないし図８に示す非常灯は、建造物の天井４０（図５参照）に埋め込み状態で下向きに設置される金属製円筒状で上面が閉塞され下面が開放されたアウターケース１４と、このアウターケース１４の下面開口部に連結される蓋１５と、アウターケース１４に収納される略円柱体のインナーケース１３とを備えている。そして、このインナーケース１３は、略円柱体を中心軸を通過して縦方向に半分とした外形（以下、半円柱体という）であって、商用電源で充電される二次電池２を内蔵する電池収納部１３Ｂと、この二次電池２を商用電源で充電すると共に、停電を検出して二次電池２で照明ランプ１を点灯する電源回路３等を内蔵する略半円柱体の電源収納部１３Ａとを備えている。さらに、非常灯は、停電時に二次電池２に接続されて点灯される照明ランプ１と、照明ランプ１の光を集束して下に照射する反射ドーム５と、この反射ドーム５の外側にあって、充電モニタランプ４の光を下方にガイドする遮光ガイド６と、電源回路３に接続されて、停電状態で照明ランプ１が点灯されるかどうかを点検する点検スイッチ１８と、この点検スイッチ１８に連結されて点検スイッチ１８を操作する紐１９と、この紐１９を引っ張って点検スイッチ１８を切り換える操作部２０とを備える。
【００１８】
二次電池２は、ニッケルカドミウム電池やニッケル水素電池である。ただ、二次電池には、リチウムイオン電池等、充電できる他の全ての電池を使用できる。二次電池２は、商用電源が停電する状態で、照明ランプ１を決められた時間点灯できる容量を有する。たとえば、二次電池２は、容量が２０００〜３０００ｍＡｈで、出力電圧を３．６〜６Ｖとするニッケルカドミウム電池である。
【００１９】
電源回路３は、商用電源が停電していないときに、二次電池２を連続して常にトリクル充電して満充電された状態に保持する充電回路と、二次電池２を正常に充電しているときに、充電モニタランプ４を点灯し、また、商用電源が停電するときに照明ランプ１を点灯する点灯回路とを備える。充電回路は、二次電池２を劣化を最小にしながら、常に満充電された状態に保持できる電流で二次電池２を充電する。
【００２０】
点灯回路は、二次電池２の充電電流を検出して、二次電池２を所定の充電電流で充電していることを検出し、正常に二次電池２が充電されると判定するときに、充電モニタランプ４を点灯する。また、点灯回路は、商用電源の停電を検出し、停電を検出すると、二次電池２を照明ランプ１に接続して、二次電池２で照明ランプ１を点灯する。さらに点灯回路は、商用電源が停電していないときは、二次電池２を照明ランプ１から切り離して、照明ランプ１を商用電源で点灯し、あるいは、照明ランプ１を消灯する。
【００２１】
点検スイッチ１８（図８の回路図に開示あり、その他の構造を示す図においては図示せず）は、紐１９が引っ張られるときにのみ通電が遮断されるスイッチで、オンからオフに切り換えられるノーマルオンのスイッチで、電源回路３の入力側に接続されている。紐１９は、通常状態から下方に引っ張ると、通常状態に戻ろうとして上方向に付勢力が働くようになっている。紐１９が引っ張られると、点検スイッチ１８は電源回路３に入力する商用電源を遮断する。電源回路３の入力が遮断されると、停電と同じ状態となる。正常に動作する非常灯は、この状態で照明ランプ１を点灯する。したがって、点検スイッチ１８の紐１９を引っ張って一時的にオフに切り換えて、非常灯が停電時に正常に動作するかどうかを点検できる。点検スイッチ１８はインナーケース１３の下端に固定されて、紐１９をインナーケース１３から外部に引き出している。
【００２２】
点検スイッチ１８の操作部２０の分解斜視図を図９に、その要部側面図を（図９における矢印Ａで示す方向から見た図）を図１０に、その要部正面図（図９における矢印Ｂで示す方向から見た図）を図１１に示す。この図に示す操作部２０は、インナーケース１３の下方に伸びるように固定している摺動ガイド２１と、この摺動ガイド２１に沿って摺動して上下に移動できるように摺動ガイド２１に連結している引張ツマミ２２と、この引張ツマミ２２を摺動ガイド２１から外れないように保持するホルダー２３と、摺動ガイド２１とホルダー２３との間にあって、引張ツマミ２２の上端と当接するスライド片２４と、このスライド片２４を弾性的に押し下げる押出スプリング２５とを備えている。そして、点検スイッチ１８の操作をしない通常時においては、図１に示すように、引張ツマミ２２の下端は、蓋１５から外部にわずかに突出しているだけであり、従来のように、紐の下端にリング状ツマミを設けるタイプよりは、より目立たなくなっている。
【００２３】
点検スイッチ１８を操作する紐１９は引張ツマミ２２に連結される。押出スプリング２５は、スライド片２４を介して、引張ツマミ２２を弾性的に降下させて、下端を蓋１５から外部に突出させる。このとき、押出スプリング２５は、スライド片２４をその可動範囲の一番下まで降下させている（図１０参照）。点検スイッチの紐１９が下方に引っ張られたときに発生する上方向の付勢力よりも大きい付勢力で、押出スプリング２５は、スライド片２４を付勢している。図１０と図１１の(1)は、点検スイッチの操作をしない通常時を示しているが、この状態で、紐１９は引張ツマミ２２を上方向に付勢する長さに調整してあり、上述のように、押出スプリング２５の付勢力が大きく、スライド片２４が一番下まで降下されている。図１１の(2)で示すように、引張ツマミ２２が引っ張られると、引張ツマミ２２は紐１９を引っ張って点検スイッチを切り換える。点検スイッチが切り換えられると、引張ツマミ２２は停電時に照明ランプ１を点灯できるかどうかが点検される。
【００２４】
摺動ガイド２１は、プラスチックでインナーケース１３と一体的に成形されて、インナーケース１３に連結されている。図の摺動ガイド２１は、横方向の断面が凹形状又は溝形状であって、断面の両側に側壁２１Ａ、２１Ａを設けているガイド溝２１Ｂを備えている。側壁２１Ａは、上端部において、その横断面の高さが高く、階段部２１Ｄ、２１Ｄとなっており、他の部分を低くして、低い部分で引張ツマミ２２を上下に往復運動させる。したがって、上端部に設けている高くしている階段部２１Ｄ、２１Ｄは、紐１９を引っ張り、急に離したときなどに作用する引張ツマミ２２の上昇を停止するストッパの役目をしている。さらに、摺動ガイド２１は、ホルダー２３を連結するために、上下方向の両端部分に貫通孔２１Ｃを設けている。貫通孔２１Ｃは、ホルダー２３の連結フック２３Ａを挿入してホルダー２３を連結する。
【００２５】
引張ツマミ２２は、摺動ガイド２１とホルダー２３との間に挟まれる状態で往復運動できるように、プラスチックで全体を板状に一体的に成形している。引張ツマミ２２の先端には、指を入れて引っ張る指孔２２Ａを開口している。引張ツマミ２２は、その幅を摺動ガイド２１よりも広くして、摺動ガイド２１の両側に突出するようにしている。さらに、引張ツマミ２２は、摺動ガイド２１のガイド溝２１Ｂに沿って移動する一対のガイド凸部２２Ｂ、２２Ｂを摺動ガイド２１との対向面に突出して設けている。ガイド凸部２２Ｂは、引張ツマミ２２の上部に設けている。図の引張ツマミ２２は、中央に縦スリット２２Ｃを設けて、この縦スリット２２Ｃの上方に一対のガイド凸部２２Ｂを設けている。
【００２６】
縦スリット２２Ｃは、引張ツマミ２２を上下に移動させるものである。この縦スリット２２Ｃは、ホルダー２３の下方の連結フック２３Ａよりも幅を広くしているので、上下動が可能である。図の引張ツマミ２２は、縦スリット２２Ｃよりも上方に幅の狭い連結スリット２２Ｄを連結して設けている。図１１に示すように、紐１９が必要以上に引っ張られたとき、下方の連結フック２３Ａに連結スリット２２Ｄが当たり、通過できないことより、これ以上に引張ツマミ２２が下方に引っ張られることがない。幅の狭い連結スリット２２Ｄは、上端部で縦から横方向に伸びて紐１９の連結部２２Ｅまで延長され、連結スリット２２Ｄの先端に紐１９を連結している。
【００２７】
一対のガイド凸部２２Ｂは、その外幅を、摺動ガイド２１のガイド溝２１Ｂの内幅よりもわずかに小さくしている。ガイド凸部２２Ｂは、ガイド溝２１Ｂに入れられて、ガイド溝２１Ｂに沿って摺動して、引張ツマミ２２を摺動ガイド２１に沿って移動させる。引張ツマミ２２は、上端の側部に点検スイッチ１８の紐１９を連結する連結部２２Ｅを突出して設けている。この連結部２２Ｅは、インナーケース１３に設けている紐１９の引出孔２６の下方に位置する。
【００２８】
ホルダー２３は、上下に伸びる２列のガイドスリット２３Ｂを設けている。ガイドスリット２３Ｂは、突出段差部２３Ｃに設けている。突出段差部２３Ｃは、ホルダー２３の中間部から下部にいたる領域であって、スライド片２４を移動させる部分である。この突出段差部２３Ｃは、摺動ガイド２１から離れる方向に突出する形状で、突出段差部２３Ｃと引張ツマミ２２との間に、スライド片２４を配設する隙間を設けている（図１０参照）。スライド片２４は、この隙間に配設されて、ガイドスリット２３Ｂに沿って上下に移動される。さらにホルダー２３は、摺動ガイド２１に連結するために、上端と下端に、摺動ガイド２１に向かって突出する連結フック２３Ａを一体的に成形して設けている。この連結フック２３Ａは、摺動ガイド２１の貫通孔２１Ｃに挿通される。連結フック２３Ａは、先端のフック部を摺動ガイド２１の裏面に係止して、抜けないように連結される。この連結フック２３Ａが、ホルダー２３を摺動ガイド２１に連結する。
【００２９】
スライド片２４は、押出スプリング２５で弾性的に押し下げられることで、紐１９が上方向に引っ張る力に抗して、引張ツマミ２２を弾性的に押し下げて、引張ツマミ２２の下端をアウターケース１４の蓋１５から突出させる。紐１９を介して点検スイッチ１８に連結している引張ツマミ２２は、紐１９が弛んで蓋１５の内部に引き上げられることがある。この状態になると、引張ツマミ２２の下端が蓋１５から突出しなくなって指で引っ張ることができなくなる。スライド片２４は、紐１９の弛みを防止するために、引張ツマミ２２を弾性的に押し下げる。ただ、スライド片２４が引張ツマミ２２を強く押し下げると、紐１９が点検スイッチ１８を切り換えてしまうので、スライド片２４は点検スイッチ１８を切り換えない位置（図１０と図１１の(1)に示す位置）まで、引張ツマミ２２を弾性的に降下させる。スライド片２４が引張ツマミ２２を押し下げる押圧力は、押出スプリング２５で調整される。
【００３０】
スライド片２４は、上下に移動するために、ホルダー２３との対向面にはガイドフック２４Ｂを、引張ツマミ２２との対向面にはガイド突出部２４Ａを設けている。ガイドフック２４Ｂはふたつあって、ホルダー２３に設けている２列のガイドスリット２３Ｂに案内されて、ガイドスリット２３Ｂに沿って摺動する。さらに、このガイドフック２４Ｂは図に示すように、先端をフック状として、ガイドスリット２３Ｂから抜けないようにしている。
【００３１】
押出スプリング２５は、スライド片２４を介して引張ツマミ２２を弾性的に降下させる。ただし、押出スプリング２５は、紐１９の弛みを解除する位置であって、点検スイッチ１８を切り換えない位置まで、引張ツマミ２２を弾性的に降下させて、引張ツマミ２２の下端を蓋１５から外部に突出させる。図の押出スプリング２５はコイルスプリングである。コイルスプリングの押出スプリング２５は、ホルダー２３とスライド片２４との対向面に設けている固定ロッド２３Ｄ、２４Ｃに挿通されて、ホルダー２３とスライド片２４とに連結される。ホルダー２３は、上端に設けている連結フック２３Ａの下面に固定ロッド２３Ｄを下方に突出して設け、スライド片２４は、ガイドフック２４Ｂの間に固定ロッド２４Ｃを設けている。押出スプリング２５は、上端をホルダー２３に、下端をスライド片２４に連結している。
【００３２】
充電モニタランプ４は、消費電力を小さくするために発光ダイオードが使用される。発光ダイオードは、消費電力が小さいことに加えて、電球のようにフィラメントがなく、ｐｎ接合のダイオードであるから、電球とは比較にならない程に長寿命である。このため、長期間にわたって二次電池２の充電状態を確実に表示できる。さらに、充電モニタランプ４に使用される発光ダイオードは、前面をレンズ形状とする集光タイプが適している。光を集束して下方に明るく照射できるからである。ただ、発光ダイオードには集光タイプでないものも使用できる。また、充電モニタランプには、発光ダイオードに代わって電球も使用できる。
【００３３】
図４の非常灯は、充電モニタランプ４である発光ダイオードのリード線４Ａを電源収納部１３Ａに固定している回路基板８に半田付けして連結している。この構造は、接触不良が起こらないように充電モニタランプ４を回路基板８に連結できる。ただし、充電モニタランプを電球とする非常灯は、回路基板にソケットを固定し、これに電球を連結する。
【００３４】
充電モニタランプ４は、遮光ガイド６の内部に、下向きに光を照射するように、遮光ガイド６の上部に下向きに配設される。図４の充電モニタランプ４は、集束して放射する光の光軸を、遮光ガイド６の中心軸に対して傾斜させる姿勢で、遮光ガイド６の上部に配設される。なお、充電モニタランプ４の光軸とは、発光される光の中心の軸を意味するものである。充電モニタランプ４の光軸が遮光ガイド６の中心軸からずれる角度は、たとえば０〜４０度、好ましくは、１５〜３５度、さらに好ましくは２０〜３０度とする。充電モニタランプ４の光軸を傾斜させる非常灯は、充電モニタランプ４から光軸方向に照射される光を、遮光ガイド６の内面で反射し、さらに反射ドーム５の外側面でも反射させながら、遮光ガイド６の下端から外部に所定の角度に拡散して放射することができる。このため、充電モニタランプ４から照射される光を、真下の中心軸からずれた角度に明るく照射できる特長がある。ただ、充電モニタランプは、光軸を真下に向ける姿勢で配置することもできる。光軸が真下に向く充電モニタランプは、真下を明るく照射できる。また、光軸を真下に向ける姿勢の充電モニタランプは、全ての光を光軸の方向に照射するのではなく、光軸からずれた方向にも照射する。光軸からずれた本体に照射される光は、遮光ガイドの内面で反射され、また反射ドームの外側面に反射されて、下方に照射される。したがって、光軸を真下に向ける充電モニタランプも、光軸からずれた方向に光を照射して、真下からずれた方向から見て認識できる。
【００３５】
照明ランプ１は、下向きに所定の明るさで光を照射するハロゲンランプ等の電球である。電球はフィラメントが切れることがある。したがって、電球の照明ランプ１は、簡単に交換できるように、電源収納部１３Ａに固定しているソケット９に挿入して連結される。照明ランプ１には、白色の発光ダイオードも使用できる。白色の発光ダイオードは発光輝度が高くて故障しないので、ソケットを使用することなく、リード線を直接に電源回路に接続できる。照明ランプ１は反射ドーム５の中心に下向きに固定されて、天井から下方に光を照射する。
【００３６】
反射ドーム５は、プラスチックや金属板を、略半球状の形状であって、円形または多角形のドーム状に加工したものである。反射ドーム５は、内面で照明ランプ１の光を反射し、集束して下方を明るく照射する。反射ドーム５は、内側面と外側面に反射層を積層して、光の反射率を高くすることができる。反射層は、金属のメッキ層、あるいは薄い金属を接着した層である。プラスチック製の反射ドーム５は、表面を真空蒸着メッキして、光を効率よく反射する反射層を設けることができる。ただし、反射ドームは、必ずしも反射層を設ける必要はない。プラスチック製の反射ドームは、白色または白色に近い色のプラスチックで成形して、表面で光を効率よく反射できるからである。
【００３７】
反射ドーム５は、外側面で充電モニタランプ４の光を反射して、充電モニタランプ４の光を下方に照射する傾斜角としている。反射ドーム５は、充電モニタランプ４の光を下方に照射するので、充電モニタランプ４の光を反射する部分が、鉛直方向に対して傾斜する傾斜角（α）は、０〜４５度、好ましくは０〜４０度としている。図の反射ドーム５は、下端に向かって傾斜角（α）が次第に小さくなるドーム形状として、下端の開口端縁の傾斜角は０〜１５度としている。反射ドーム５は、このドーム形状で、照明ランプ１の光を集束する状態をコントロールできる。傾斜角を小さくすると、狭い領域を明るく照射でき、反対に傾斜角を大きくすると、広い領域を照射できるようになる。
【００３８】
反射ドーム５は、下部開口部の外周にフランジ５Ａを一体的に設けており、このフランジ５Ａを蓋１５に連結して定位置に固定している。フランジ５Ａは、蓋１５の内面に連結している。蓋１５は、図１２と図１３に示すように、反射ドーム５のフランジ５Ａを連結するために、複数の保持部１０を内面に突出して設けている。保持部１０は、フランジ５Ａを入れて連結できるように金属板をＬ字状に突出させている。反射ドーム５のフランジ５Ａは、この保持部１０を案内する切除部１１を設けている。反射ドーム５は、図１３の矢印で示すように、切除部１１と反対側のフランジ５Ａを、図において右側に位置する３箇所の保持部１０の内側に挿入すると共に、左側に位置する保持部１０に切除部１１を通過させた後、フランジ５Ａを蓋１５の内面に接触させる状態で回転して、蓋１５に連結される。
【００３９】
さらに、反射ドーム５のフランジ５Ａは、充電モニタランプ４の光を透過させる部分を切除した形状として光透過部１２を設けている。充電モニタランプ４の光は、この光透過部１２を通過して、下方に照射される。
【００４０】
遮光ガイド６は、インナーケース１３の電源収納部１３Ａを成形するプラスチックに一体的に成形して設けられる。この遮光ガイド６はプラスチック製である。ただ、遮光ガイドは金属板を加工して製作することができる。この遮光ガイドは、インナーケースの定位置に固定される。遮光ガイド６は、反射ドーム５の外側に接近して、下向き姿勢で配設されて、充電モニタランプ４から照射される光の一部を、反射ドーム５の外側面に照射する。充電モニタランプ４の光は、反射ドーム５の外側面で反射されるので、遮光ガイド６は、反射ドーム５に接近して配置される。たとえば、遮光ガイド６の中心軸と反射ドーム５の外側面の遮光ガイド６に最も接近する部分との距離、図７においては遮光ガイド６の下端と、反射ドーム５の外側面との距離（ｄ）が、２５ｍｍ以下、好ましくは２０ｍｍ以下、さらに好ましくは１５ｍｍ以下となるように、遮光ガイド６は反射ドーム５に接近して配設される。
【００４１】
遮光ガイド６は、白色ないし白色に近いプラスチックを成形して製作されて、内面で充電モニタランプ４の光を反射させる。充電モニタランプ４の光を下向きに照射する遮光ガイド６は、下向きに、垂直ないしはほぼ垂直な姿勢でインナーケース１３に連結される。図の遮光ガイド６は、先端に向かって内径が小さくなる円筒状または楕円筒状に成形している。
【００４２】
さらに、遮光ガイド６は、先端部であって、反射ドーム５との対向面に切欠部６Ａを設けている。この切欠部６Ａは、充電モニタランプ４が遮光ガイド６の内部に照射する光を、切欠部６Ａに通過させて反射ドーム５の外側面で反射させて下方を照射するようにしている。切欠部６Ａは筒の一部を除去した形状で、図の遮光ガイド６は、約半分を切欠部６Ａとして、残りの半分を半円形の遮光ガイド６としている。切欠部６Ａは反射ドーム５と対向するので、充電モニタランプ４が遮光ガイド６の内部に照射する光は、図４に示すように、遮光ガイド６の内面と、反射ドーム５の外側面とで反射されて、所定の角度に拡散されて下方に照射される。蓋１５は、遮光ガイド６の下方に位置して、充電モニタランプ４の光を外部に照射する照射孔１５Ａを開口している。この照射孔１５Ａは、遮光ガイド６の内面と、反射ドーム５の外側面とで反射された光を、外部に照射できる大きさに開口している。
【００４３】
遮光ガイド６は、図３ないし図６に示すように、インナーケース１３の一部を構成する電源収納部１３Ａと一体的に成形される。インナーケース１３は、図３ないし図６に示す電源収納部１３Ａと電池収納部１３Ｂとからなる。このインナーケース１３を収納するアウターケース１４は、下面の開口部に蓋１５を連結している。電源収納部１３Ａと電池収納部１３Ｂは、互いに脱着できるように連結されてインナーケース１３となる。図３に示すように、電池収納部１３Ｂは、底面視において両側に一対で、横方向の断面がＬ字状であって、上下方向に延在するＬ字ガイド１６を一体的に設けている。電源収納部１３Ａは、このＬ字ガイド１６に挿通して連結される連結リブ１７を両外側に突出して設けており、連結リブ１７をＬ字ガイド１６に入れて、電源収納部１３Ａと電池収納部１３Ｂとは連結される。インナーケース１３は、アウターケース１４に脱着できるように収納される。
【００４４】
アウターケース１４は、収納するインナーケース１３を定位置に固定するストッパ１４Ａ、１４Ａを内面に突出して設けている。インナーケース１３は、このストッパ１４Ａに当接して、インナーケース１３がアウターケース１４から出るのを阻止する、レバー２７、２７を設けている。レバー２７がストッパ１４Ａに当接して、インナーケース１３はアウターケース１４に収納され、インナーケース１３を下方向に取り出すときは、レバー２７を横方向（図６に矢印で示す）に可動させることで、ストッパ１４Ａの係合を解除させる。アウターケース１４は上底を閉塞している円筒状に金属板をプレス加工して製作されて、天井等に固定される。このアウターケース１４は、開口部に蓋１５が連結される。
【００４５】
蓋１５は、引張ツマミ２２の下方に位置して、引張ツマミ２２の下端部を外部に突出させる挿通孔１５Ｂを開口している。この挿通孔１５Ｂに引張ツマミ２２を挿通する状態で、蓋１５はアウターケース１４に連結される。蓋１５は、図５に開示されるように、弾性的に拡開されるハ字状の拡開バネ２８、２８を介してアウターケース１４に連結される。拡開バネ２８は、ハ字状の中央下端部を蓋１５に連結している。さらに、拡開バネ２８は、アウターケース１４の内面に突出して設けている一対の対向壁    １４Ｂの間にハ字状に拡開する先端部分を案内している。ハ字状の先端部分が弾性的に拡開して、対向壁１４Ｂの間に連結される。
【図面の簡単な説明】
【００４６】
【図１】本発明の一実施例にかかる点検スイッチを有する非常灯の垂直断面図である。
【図２】図１に示す非常灯の底面図である。
【図３】図２に示す非常灯の蓋を外した底面図である。
【図４】図３に示す非常灯のＡ−Ａ線断面図である。
【図５】図１に示す非常灯の設置状態を示す断面図であり、蓋は斜視図で表される。
【図６】図１に示す非常灯の蓋を外して背面下側から見た斜視図であり、一部、アウターケースを省略して内部構造が表される。
【図７】図４に示す非常灯の反射ドームと遮光ガイドの位置関係を示す底面斜視図である。
【図８】図１に示す非常灯の回路図である。
【図９】点検スイッチの操作部を示す分解斜視図である。
【図１０】点検スイッチの操作部を示す側面図であって、図９において矢印Ａで示す方向から見た図である。
【図１１】点検スイッチの操作部を示す正面図であって、図９において矢印Ｂで示す方向から見た図であり、(1)は通常時、(2)は引張ツマミが引っ張られた時を示す。
【図１２】蓋と反射ドームの連結構造を示す断面図である。
【図１３】蓋と反射ドームの連結構造を示す平面図である。
【符号の説明】
【００４７】
１…照明ランプ
２…二次電池
３…電源回路
４…充電モニタランプ    ４Ａ…リード線
５…反射ドーム          ５Ａ…フランジ
６…遮光ガイド          ６Ａ…切欠部
８…回路基板
９…ソケット
１０…保持部
１１…切除部
１２…光透過部
１３…インナーケース    １３Ａ…電源収納部        １３Ｂ…電池収納部
１４…アウターケース    １４Ａ…ストッパ          １４Ｂ…対向壁
１５…蓋                １５Ａ…照射孔            １５Ｂ…挿通孔
１６…Ｌ字ガイド
１７…連結リブ
１８…点検スイッチ
１９…紐
２０…操作部
２１…摺動ガイド        ２１Ａ…側壁              ２１Ｂ…ガイド溝
２１Ｃ…貫通孔            ２１Ｄ…階段部
２２…引張ツマミ        ２２Ａ…指孔              ２２Ｂ…ガイド凸部
２２Ｃ…縦スリット        ２２Ｄ…連結スリット
２２Ｅ…連結部
２３…ホルダー          ２３Ａ…連結フック        ２３Ｂ…ガイドスリット
２３Ｃ…突出段差部        ２３Ｄ…固定ロッド
２４…スライド片        ２４Ａ…ガイド突出部      ２４Ｂ…ガイドフック
２４Ｃ…固定ロッド
２５…押出スプリング
２６…引出孔
２７…レバー
２８…拡開バネ
４０…天井
【図１】
2005093251.tif 000003
【図２】
2005093251.tif 000004
【図３】
2005093251.tif 000005
【図４】
2005093251.tif 000006
【図５】
2005093251.tif 000007
【図６】
2005093251.tif 000008
【図７】
2005093251.tif 000009
【図８】
2005093251.tif 000010
【図９】
2005093251.tif 000011
【図１０】
2005093251.tif 000012
【図１１】
2005093251.tif 000013
【図１２】
2005093251.tif 000014
【図１３】
2005093251.tif 000015